(57)【要約】【課題】光学部品の垂直あおり調整を容易に行なえる光学部品用の調整装置を提供する。【解決手段】調整装置は、光学部品１を保持する保持部材２と、保持部材２と対向配置された支持部材３と、保持部材２の一端と支持部材３の一端とを接続する板ばね６と、調整のための二本のねじ、押しねじ４と引きねじ５、とを有している。支持部材３は、板ばね６と反対の端部に、引きねじ５が螺合されるねじ穴３ｂが設けられている。保持部材２は、板ばね６と反対の端部に、押しねじ４が螺合されるねじ穴２ｂが設けられている。保持部材２のねじ穴２ｂと支持部材３のねじ穴３ｂは同軸に配置されている。押しねじ４は、その中心軸に沿って延びる貫通孔４ｂを有している。引きねじ５は、軸先端部が押しねじ４の貫通孔４ｂの中を通り、ねじ５ａが支持部材３のねじ穴３ｂに螺合される。引きねじ５と押しねじ４は共働して押し引きねじを構成している。【選択図】      図１
2005084523.tif 000002
【特許請求の範囲】
【請求項１】
光学部品を保持する保持部材と、該保持部材と対向配置された支持部材と、該支持部材の一端と前記保持部材の一端を接続する接続部材と、第１ねじ要素と第２ねじ要素を有するねじ部材とを備えた調整装置であって、前記保持部材には、前記一端とは反対側の他端に、第１雌ねじが形成され、前記支持部材には、前記一端とは反対側の他端に、第１雌ねじの直径よりも小さな直径を有する第２雌ねじが形成され、前記第１ねじ要素は貫通孔を有し、前記第１ねじ要素の外周部には第１雌ねじと螺合する第１雄ねじが形成され、前記第２ねじ要素は前記第１ねじ要素の前記貫通孔の直径よりも小さい直径を有し、前記第１ねじ要素の前記貫通孔の中を通り、前記第２ねじ要素の外周部には前記第２雌ねじと螺合する第２雄ねじが形成されていることを特徴とする調整装置。
【請求項２】
前記第１ねじ要素の中心軸と前記第２ねじ要素の中心軸が一致するように、前記貫通孔が形成されていることを特徴とする請求項１に記載の調整装置。
【請求項３】
前記支持部材は、前記保持部材に対向する面とは反対側の面に、凹部を備えていることを特徴とする請求項１に記載の調整装置。
【請求項４】
前記凹部に嵌合する嵌合部と円筒部とを備えた棒状部材を有することを特徴とする請求項３に記載の調整装置。
【請求項５】
前記凹部が円筒形状であることを特徴とする請求項３に記載の調整装置。
【請求項６】
前記支持部材は、前記保持部材に対向する面とは反対側の面に、円筒状の凸部を備えていることを特徴とする請求項１に記載の調整装置。
【請求項７】
前記凹部は、前記支持部材の前記一端側に形成されていることを特徴とする請求項３に記載の調整装置。
【請求項８】
前記凸部は、前記支持部材の前記一端側に形成されていることを特徴とする請求項６に記載の調整装置。
【請求項９】
前記凹部の中心軸が前記光学部品が載置される位置の中心と略一致するように、前記凹部が形成されていることを特徴とする請求項３に記載の調整装置。
【請求項１０】
前記凸部の中心軸が前記光学部品が載置される位置の中心と略一致するように、前記凸部が形成されていることを特徴とする請求項６に記載の調整装置。
【発明の詳細な説明】
【技術分野】
【０００１】
本発明は、ビームスプリッタやプリズムなどの光学部品の垂直・水平の２方向の傾き調整可能な光学部品用の調整装置に関する。
【背景技術】
【０００２】
特開平７−６３９６４号公報は、このような光学部品用の調整装置のひとつを開示している。図１１は、その光学部品用の調整装置を示している。
【０００３】
基板５１と剛性板５２は間隔を置いて対向しており、これらの互いに向かい合う面には球面状の凹部５１ａ，５２ａが２個ずつ、剛性板５２の対角線上に設けられている。球面状の凹部５１ａ，５２ａは、半球よりもかなり浅い形状である。これらの球面状の凹部５１ａ，５２ａに嵌合するように揺動支点となる２個のボール５３が配置されている。剛性板５２は、２個のボール５３の中心を結ぶ線の両側（他方の対角線上）の対称位置に２個のねじ穴５４を有しており、基板５１は、これらのねじ穴５４に対向するように、２個のねじ軸部貫通孔（但し、ねじ頭部は通過しない大きさの穴）５５を有している。ねじ軸部貫通孔５５には基板５１の下面側から２個の垂直あおり調整固定ねじ５６が挿入されており、垂直あおり調整固定ねじ５６は剛性板５２のねじ穴５４にそれぞれ螺合されている。２個のボール５３（揺動支点）の両側の２個の垂直あおり調整固定ねじ５６の締め付けバランスを調整することによって、基板５１に対する剛性板５２の傾き具合いが調節可能である。
【０００４】
剛性板５２の上には、中心にねじ穴５７をもつ第２の剛性板５８が載置されている。剛性板５２の中心にはねじ軸部貫通孔（但し、ねじ頭部は通過しない大きさの穴）５９が設けられており、基板５１の中心にはドライバー挿入穴（ねじ頭部が通過する大さの穴）６２が形成されている。剛性板５２と第２の剛性板５８は、水平あおり調整固定ねじ６０で締結されており、水平面内での回転角度が調整可能である。第２の剛性板５８の上面には、光学的調整を必要とする光学部品５０が接着剤などにより固定される。基板５１は、光学機器の基板であってもよいし、別部材であってもよい。
【０００５】
図１２と図１３は、図１１に示された光学部品用の調整装置の動作説明図であり、図１２は水平方向のあおり調整を示し、図１３は垂直方向のあおり調整を示している。図１２と図１３では、動作説明を分かり易くするために、剛性板５２を共通にして、その上下で分離して示している。
【０００６】
図１２において、水平あおり調整固定ねじ６０を緩めると、光学部品５０を搭載した第２の剛性板５８を水平面内（矢印Ｈで示す方向）に回転させることができる。所望の位置で水平あおり調整固定ねじ６０を締め付けると、第２の剛性板５８は剛性板５２に固定される。このような水平あおり調整固定ねじ６０の操作は、ドライバーを基板５１に設けられたドライバー挿入穴６２に基板下面側から差し込むことによって容易に行なえる。
【０００７】
図１３において、２個の垂直あおり調整固定ねじ５６の一方を緩め、他方を締めると、２個のボール５３を支点として剛性板５２が傾く。両調整固定ねじ５６の締め付けバランスを調整することによって剛性板５２を垂直面内（矢印Ｖで示す方向）で傾き角度を自由に設定し且つ任意の角度で固定することができる。
【特許文献１】特開平７−６３９６４号公報
【発明の開示】
【発明が解決しようとする課題】
【０００８】
垂直あおり（Ｖ方向）調整固定ねじ５６の締め付け力量によっては支点のボールを中心とした負荷が剛性板５２に過大に加わる。過大な負荷が加わると、剛性板５２は支点のボール５３を頂点とした弓形に変形する。その場合、剛性板５２と剛性板５８の結合状態は面当りから線当りになり剛性板５８の結合は非常に不安定になる。このため、外部からの衝撃に弱く、経時的変化に対しても弱い状態になってしまう。従って、垂直あおり（Ｖ方向）調整をする時には、剛性板５２を変形させないようにねじの締め付け力量も考慮しながら作業を行なう必要がある。このような要請は調整作業の能率を低下させる。
【０００９】
本発明は、この様な実状を考慮して成されたものであり、その目的は、光学部品のあおり調整、特に垂直あおり調整を容易に行なえる光学部品用の調整装置を提供することである。
【課題を解決するための手段】
【００１０】
本発明は、光学部品用の調整装置に向けられており、以下の各項に列記する調整装置を含んでいる。
【００１１】
１．  本発明の調整装置は、光学部品を保持する保持部材と、該保持部材と対向配置された支持部材と、該支持部材の一端と前記保持部材の一端を接続する接続部材と、第１ねじ要素と第２ねじ要素を有するねじ部材とを備えた調整装置であって、前記保持部材には、前記一端とは反対側の他端に、第１雌ねじが形成され、前記支持部材には、前記一端とは反対側の他端に、第１雌ねじの直径よりも小さな直径を有する第２雌ねじが形成され、前記第１ねじ要素は貫通孔を有し、前記第１ねじ要素の外周部には第１雌ねじと螺合する第１雄ねじが形成され、前記第２ねじ要素は前記第１ねじ要素の前記貫通孔の直径よりも小さい直径を有し、前記第１ねじ要素の前記貫通孔の中を通り、前記第２ねじ要素の外周部には前記第２雌ねじと螺合する第２雄ねじが形成されていることを特徴とする。
【００１２】
この調整装置においては、保持部材に固定された光学部品の垂直方向の傾きを調整する場合、ねじ部材の押し引きにより光学部品に垂直方向の傾きを与えることができる。ねじ部材の第１ねじ要素と第２ねじ要素で押し引きを行なうため、光学部品が固定された保持部材に負荷をかけることなく、垂直方向の傾き調整を行なうことができる。
【００１３】
２．  本発明の別の調整装置は、第１項の調整装置において、前記第１ねじ要素の中心軸と前記第２ねじ要素の中心軸が一致するように、前記貫通孔が形成されていることを特徴とする。
【００１４】
３．  本発明の別の調整装置は、第１項の調整装置において、前記支持部材は、前記保持部材に対向する面とは反対側の面に、凹部を備えていることを特徴とする。
【００１５】
４．  本発明の別の調整装置は、第３項の調整装置において、前記凹部に嵌合する嵌合部と円筒部とを備えた棒状部材を有することを特徴とする。
【００１６】
５．  本発明の別の調整装置は、第３項の調整装置において、前記凹部が円筒形状であることを特徴とする。
【００１７】
この調整装置においては、支持部材に設けられた円筒形状の凹部に円柱形状の棒状部材を嵌合させることで、棒状部材を回転中心とした水平方向の調整を行なうことができる。凹部と棒状部材とが嵌合しているため、水平方向の調整を行なう際にシフト方向のガタが発生しない。
【００１８】
６．  本発明の別の調整装置は、第１項の調整装置において、前記支持部材は、前記保持部材に対向する面とは反対側の面に、円筒状の凸部を備えていることを特徴とする。
【００１９】
７．  本発明の別の調整装置は、第３項の調整装置において、前記凹部は、前記支持部材の前記一端側に形成されていることを特徴とする。
【００２０】
８．  本発明の別の調整装置は、第６項の調整装置において、前記凸部は、前記支持部材の前記一端側に形成されていることを特徴とする。
【００２１】
９．  本発明の別の調整装置は、第３項の調整装置において、前記凹部の中心軸が前記光学部品が載置される位置の中心と略一致するように、前記凹部が形成されていることを特徴とする。
【００２２】
この調整装置においては、凹部の中心軸と光学部品の中心軸が一致しているため、水平方向の調整の際に、光軸のシフトずれが生じない。
【００２３】
１０．  本発明の別の調整装置は、第６項の調整装置において、前記凸部の中心軸が前記光学部品が載置される位置の中心と略一致するように、前記凸部が形成されていることを特徴とする。
【００２４】
この調整においては、凸部の中心軸と光学部品の中心が一致しているため、水平方向の調整の際に、光軸のずれが生じない。
【発明の効果】
【００２５】
本発明によれば、光学部品が固定された保持部材に余計な負荷をかけずに、垂直方向の傾き調整を行なえる光学部品用の調整装置が提供される。この調整装置では、保持部材に負荷がかからないため、垂直方向の傾き調整が容易に行なえる。また、保持部材が余計な負荷を受けていないため、外部からの衝撃や経時的変化に強い。
【発明を実施するための最良の形態】
【００２６】
以下、図面を参照しながら本発明の実施の形態について説明する。
【００２７】
第一実施形態
本実施形態は、光学部品用の調整装置に向けられている。図１は、本発明の第一実施形態の調整装置の斜視図である。図２は、図１に示されたＸ−Ｘ線に沿って破断した調整装置の部分断面斜視図である。図３は、図１に示されたＹ−Ｙ線に沿った調整装置の断面図である。図４は、図１に示されたＸ−Ｘ線に沿った調整装置の断面図である。
【００２８】
（構成）
図１〜図４に示されるように、本実施形態の調整装置は、光学部品１を保持する保持部材２と、保持部材２と対向配置された支持部材３と、保持部材２の一端と支持部材３の一端とを接続する板ばね６と、調整のための押しねじ４と引きねじ５とを有している。
【００２９】
光学部品１は、保持部材２の上面に固定保持されている。支持部材３と保持部材２は間隔を置いて向かい合っている。支持部材３と保持部材２の端部には、互いに向かい合う面に、凹形状の凹溝３ａと凹溝２ａがそれぞれ設けられている。支持部材３と保持部材２の凹溝３ａと凹溝２ａには板ばね６が挿入されて固定されている。板ばね６は支持部材３と保持部材２の揺動支点を構成している。板ばね６の固定方法としては、カシメ、接着、ビスによる固定方法等があり、使用環境等により適時最適な固定方法を選択すればよい。
【００３０】
支持部材３は、凹溝３ａが形成された端部と反対の端部に、引きねじ５が螺合されるねじ穴３ｂ（雌ねじ）が設けられている。また、調整装置は、例えば固定ボルトによって、ベースＢに固定されるようになっている。そのため、支持部材３には、固定ボルト７のねじ部が通るボルト通し穴３ｃが設けられている。
【００３１】
保持部材２は、凹溝２ａが形成された端部と反対の端部に、押しねじ４が螺合されるねじ穴（雌ねじ）２ｂが設けられている。保持部材２のねじ穴２ｂと支持部材３のねじ穴３ｂは同軸に配置されている。つまり、ねじ穴２ｂとねじ穴３ｂの軸は一致している。更に、保持部材２には、固定用ボルト７を挿入する挿入穴２ｃが設けられている。挿入穴２ｃは、固定ボルト７の頭部が通過する大きさを有している。
【００３２】
押しねじ４は、軸先端部の外周部に、保持部材２のねじ穴２ｂと螺合するねじ４ａが形成されている。また、押しねじ４は、その中心軸に沿って延びる貫通孔４ｂを有している。引きねじ５は、軸先端部の外周部に、支持部材３のねじ穴３ｂと螺合するねじ５ａが形成されている。引きねじ５の軸先端部は、押しねじ４の貫通孔４ｂの直径よりも小さい直径を有しており、貫通孔４ｂを通過し得る。なお、引きねじ５の頭部は、押しねじ４の貫通孔４ｂの直径よりも大きい直径を有しており、貫通孔４ｂを通過し得ない。引きねじ５は、例えば、一般に市販されている六角穴付きボルトが適用できる。
【００３３】
引きねじ５は、軸先端部が押しねじ４の貫通孔４ｂの中を通り、ねじ５ａが支持部材３のねじ穴３ｂに螺合される。保持部材２のねじ穴２ｂと支持部材３のねじ穴３ｂは同軸に配置されているため、引きねじ５の中心軸と押しねじ４の中心軸は一致する。引きねじ５と押しねじ４は共働して押し引きねじを構成している。
【００３４】
支持部材３と保持部材２に配置された板ばね６と押し引きねじの間の距離は、その距離が遠いほど垂直方向の傾き調整の分解能を向上することが可能である。
【００３５】
（作用）
垂直方向の傾き調整動作
引きねじ５を緩めて押しねじ４をねじ込むと、板ばね６を揺動支点として保持部材２が傾く。その結果、光学部品１に垂直方向の傾きを与えることができる。光学部品１を逆方向に傾ける場合は、引きねじ５を緩めた状態で、押しねじ４を緩めればよい。これにより、光学部品１の垂直方向の調整、すなわち垂直あおり調整を行なうことができる。光学部品１が所望の傾きになったところで、押しねじ４のねじ込みを止めて引きねじ５を締める。これにより、光学部品１を所望の傾きで保持することができる。
【００３６】
（効果）
本実施形態の調整装置においては、押しねじ４と引きねじ５の回転中心が一致しているため、垂直方向の傾き調整時に保持部材２に不所望な負荷がかからない。つまり、垂直あおり調整の際に保持部材２にかかる負荷を考慮する必要がない。このため、調整作業が容易に行なえる。
【００３７】
以下、本実施形態の変形例について述べる。本変形例は、垂直方向の傾き調整に加えて水平方向の傾き調整も行なえる調整装置に向けられている。図６は、本変形例の調整装置の図１のＸ−Ｘ線に沿った断面に相当する断面斜視図である。図７は、本変形例の調整装置の図１のＹ−Ｙ線に沿った断面に相当する断面図である。
【００３８】
本変形例の調整装置では、更に、図６に示すように、支持部材３には嵌合穴３ｄが設けられている。この嵌合穴３ｄは、凹溝３ａが設けられている面と反対側の面に設けられている。また、嵌合穴３ｄは、光学素子１の下側、板ばね６が設けられている端部側に形成されている。そして、棒状部材８がこの嵌合穴３ｄに嵌合され、接着剤等により固定されている。なお、棒状部材８の外周と面と嵌合穴３ｄの内周面にねじを形成し、螺合により固定してもよい。
【００３９】
一方、図７に示すように、ベースＢには、棒状部材８と嵌合可能な穴Ｃが形成されている。ただし、穴Ｃの径は、嵌合可能とはいっても、棒状部材８が回転可能な程度の余裕を持った径となっている。よって、穴Ｃに棒状部材８を挿入することで、調整装置をベースＢの面上で回転させることができる。
【００４０】
なお、棒状部材８は、穴Ｃと嵌合する部分は円柱形状である。一方、嵌合穴３ｄと嵌合する部分は円柱形状であるのが好ましい。ただし、例えば接着剤で固定する場合は、円柱形状である必要はない。また、棒状部材８と支持部材３を、別部材で構成しなくてもよい。例えば、図８に示すように、支持部材３と一体に形成された突起８’としてもよい。
【００４１】
また、棒状部材８が嵌合される嵌合穴３ｄは、光学部品１の反射面と棒状部材８の回転を中心が一致する位置に設けるとよい。これにより、光学部品１の水平方向の傾きを調整した時に、水平方向のシフトずれの発生が防止される。
【００４２】
水平方向の傾き調整動作
固定ボルト７を緩め、棒状部材８を中心として支持部材３を回転させることにより、光学部品１の水平方向の傾き調整、すなわち水平あおり調整を行なうことができる。光学部品１が所望の傾きになったところで、固定ボルト７を締めることにより、光学部品１を所望の傾きで保持することができる。
【００４３】
水平方向の傾き調整量は支持部材３に設けられたボルト通し穴３ｃの径と固定ボルト７のねじ径との差により決まる。このため、より多くの調整量を必要とする場合はボルト通し穴３ｃを大きくすればよい。しかし、ボルト通し穴３ｃを大きくした場合は、固定ボルト７の頭部が脱落する恐れがあるので、支持部材３と固定ボルト７の間にワッシャー等を組込んでおくとよい。更に多くの調整量を必要とする場合には、ボルト通し穴３ｃの形状を嵌合穴３ｄを中心とした円弧状の長穴とするとよい。
【００４４】
ここで、本変形例の調整装置における水平方向の傾き調整を、「背景技術」において紹介した従来の従来の調整装置と比較する。
【００４５】
図１２に示した従来の調整装置においては、水平あおり（Ｈ方向）調整固定ねじ６０を緩めると、ねじ６０とねじ軸部貫通孔５９の間の隙間により、第２の剛性板５８の水平あおり（Ｈ方向）以外にもシフト方向のずれが発生する。つまり、第２の剛性板５８の水平あおり（Ｈ方向）調整をする時には、シフト調整も同時に行なう必要がある。このような要請は調整作業の能率を低下させる。
【００４６】
これに対して、本変形例の調整装置では、支持部材３は、ベースＢに形成された穴Ｃと棒状部材８の間で嵌合状態に保持されているので、水平方向の傾き調整時にシフト方向のずれが発生しない。従って、水平あおり調整も容易に行なうことができる。
【００４７】
第二実施形態
本実施形態は、光学部品用の別の調整装置に向けられている。図５は、本発明の第二実施形態の調整装置の断面図であり、図１におけるＹ−Ｙ線に沿った断面に相当する断面を示している。
【００４８】
（構成）
本実施形態の光学部品用の調整装置は、第一実施形態における保持部材２と支持部材３と板ばね６とが一つの材料から作製された構成を有している。つまり、直方体形状の一つの材料に対して割り溝１１を形成することにより保持部材９と支持部材１０とが作製されている。この割り溝１１により弾性力をもった揺動支点が構成されている。
【００４９】
他の構成は、第一実施形態と同じであり、その説明は省略する。
【００５０】
（作用）
引きねじ５を緩めて押しねじ４をねじ込むと、板ばね６を揺動支点として保持部材２が傾く。その結果、光学部品１に垂直方向の傾きを与えることができる。光学部品１を逆方向に傾ける場合は、引きねじ５を緩めた状態で、押しねじ４を緩めればよい。これにより、光学部品１の垂直方向の調整、すなわち垂直あおり調整を行なうことができる。光学部品１が所望の傾きになったところで、押しねじ４のねじ込みを止めて引きねじ５を締める。これにより、光学部品１を所望の傾きで保持することができる。
【００５１】
他の作用については、第一実施形態と同じであり、その説明は省略する。
【００５２】
（効果）
本実施形態の調整装置においては、押しねじ４と引きねじ５の回転中心が一致しているため、垂直方向の傾き調整時に保持部材２に不所望な負荷がかからない。つまり、垂直あおり調整の際に保持部材２にかかる負荷を考慮する必要がない。このため、調整作業が容易に行なえる。また、支持部材３は、図示しないベースに固定された棒状部材８と支持部材３の嵌合穴３ｄの間で嵌合状態に保持されているので、水平方向の傾き調整時にシフト方向のずれが発生しない。
【００５３】
支持部材９と保持部材１０を一つの材料から作るので光学部品用の調整装置の組立て時間を軽減できる。
【００５４】
第三実施形態
本実施形態は、光学部品用の別の調整装置に向けられている。図９は、本発明の第三実施形態の調整装置の断面図であり、図１におけるＹ−Ｙ線に沿った断面に相当する断面を示している。図１０は、本発明の第三実施形態の調整装置の断面図であり、図１におけるＸ−Ｘ線に沿った断面に相当する断面を示している。
【００５５】
（構成）
本実施形態の光学部品用の調整装置は、第一実施形態における揺動支点を構成する板ばね６が剛球１５と引張りばね１４に置き換えられた構成を有している。
【００５６】
支持部材１３には、球面形状の穴１３ｂが図９の奥行き方向に２個以上設けられ、引っ張りばね１４を留める突起１３ａが設けられている。保持部材１２には、球面形状の穴１２ｂが図９の奥行き方向に２個以上設けられ、引っ張りばね１４を留める突起１２ａが設けられている。保持部材１２と支持部材１３に設けられた球面形状の穴１２ａと穴１３ａの深さは剛球１５の半径より浅く設定されている。このため、剛球１５は、保持部材１２の穴１２ａと支持部材１３の穴１３ａとに嵌合し得る。
【００５７】
剛球１５は、支持部材１３と保持部材１２の間に配置され、支持部材１３と保持部材１２に設けられた球面形状の穴１３ａと穴１２ａのどちらか一方に接着により固定される。接着することにより組立て時に剛球１５が脱落するのを防止することができる。
【００５８】
また、第一実施形態と同じように、支持部材１３には嵌合穴１３ｄが設けられている。ただし、棒状部材８は設けられていない。そのかわりに、ベースＢに突起１６が設けられている。突起１６の外径は、嵌合穴１３ｄと嵌合可能になっている。ただし、嵌合穴１３ｄの径は、嵌合可能とはいっても、内突起１６の周りで回転可能な程度の余裕を持った径となっている。
【００５９】
他の構成については、第一実施形態と同じであり説明を省略する。
【００６０】
（作用）
引きねじ５を緩めて押しねじ４をねじ込むと、板ばね６を揺動支点として保持部材２が傾く。その結果、光学部品１に垂直方向の傾きを与えることができる。光学部品１を逆方向に傾ける場合は、引きねじ５を緩めた状態で、押しねじ４を緩めればよい。これにより、光学部品１の垂直方向の調整、すなわち垂直あおり調整を行なうことができる。光学部品１が所望の傾きになったところで、押しねじ４のねじ込みを止めて引きねじ５を締める。これにより、光学部品１を所望の傾きで保持することができる。
【００６１】
他の作用は、第一実施形態と同じであり、その説明は省略する。
【００６２】
（効果）
本実施形態の調整装置においては、押しねじ４と引きねじ５の回転中心が一致しているため、垂直方向の傾き調整時に保持部材２に不所望な負荷がかからない。つまり、垂直あおり調整の際に保持部材２にかかる負荷を考慮する必要がない。このため、調整作業が容易に行なえる。また、図示しないベース等に設けられた棒状部材１６により、支持部材１３と図示しないベース等とは嵌合状態に保たれているので、水平方向の調整時にシフト方向のガタが発生しない。
【００６３】
これまで、図面を参照しながら本発明の実施の形態を述べたが、本発明は、これらの実施の形態に限定されるものではなく、その要旨を逸脱しない範囲において様々な変形や変更が施されてもよい。
【図面の簡単な説明】
【００６４】
【図１】本発明の第一実施形態の調整装置の斜視図である。
【図２】図１に示されたＸ−Ｘ線に沿って破断した調整装置の部分断面斜視図である。
【図３】図１に示されたＹ−Ｙ線に沿った調整装置の断面図である。
【図４】図１に示されたＸ−Ｘ線に沿った調整装置の断面図である。
【図５】本発明の第二実施形態の調整装置の断面図であり、図１におけるＹ−Ｙ線に沿った断面に相当する断面を示している。
【図６】本発明の第一実施形態の変形例の調整装置の図１のＸ−Ｘ線に沿った断面に相当する断面斜視図である。図７は、
【図７】本発明の第一実施形態の変形例の調整装置の図１のＹ−Ｙ線に沿った断面に相当する断面図である。
【図８】図６と図７に示された本発明の第一実施形態の変形例と代替可能な別の調整装置の図１のＹ−Ｙ線に沿った断面に相当する断面図である。
【図９】本発明の第三実施形態の調整装置の断面図であり、図１におけるＹ−Ｙ線に沿った断面に相当する断面を示している。
【図１０】本発明の第三実施形態の調整装置の断面図であり、図１におけるＸ−Ｘ線に沿った断面に相当する断面を示している。
【図１１】光学部品用の調整装置の一従来例を示している。
【図１２】図１１に示された調整装置の水平あおり調整の動作説明図である。
【図１３】図１１に示された調整装置の垂直あおり調整の動作説明図である。
【符号の説明】
【００６５】
１…光学部品、２…保持部材、２ａ…凹溝、２ｂ…ねじ、２ｃ…ボルト挿入穴、３…支持部材、３ａ…凹溝、３ｂ…ねじ、３ｃ…ボルト通し穴、３ｄ…嵌合穴、４…押しねじ、４ａ…ねじ、４ｂ…貫通孔、５…引きねじ、６…板ばね、７…固定ボルト、８…棒状部材、９…保持部材、１０…支持部材、１１…割り溝、１２…保持部材、１２ａ…突起、１２ｂ…球面形状の穴、１３…支持部材、１３ａ…突起、１３ｂ…球面形状の穴、１４…引張りばね、１５…剛球、１６…棒状部材。
【図１】
2005084523.tif 000003
【図２】
2005084523.tif 000004
【図３】
2005084523.tif 000005
【図４】
2005084523.tif 000006
【図５】
2005084523.tif 000007
【図６】
2005084523.tif 000008
【図７】
2005084523.tif 000009
【図８】
2005084523.tif 000010
【図９】
2005084523.tif 000011
【図１０】
2005084523.tif 000012
【図１１】
2005084523.tif 000013
【図１２】
2005084523.tif 000014
【図１３】
2005084523.tif 000015